(57)【要約】【課題】物品による吸込口の閉塞を防止する。【解決手段】ダクト５０には、収納室に臨む上板５０ａから一対の支持部５４,５４が立設される。一対の支持部５４,５４に挟まれた上板５０ａには、前後方向にスリット状に開設されると共に、上下方向に連通して複数の吸込口５２が形成される。各支持部５４の先端に形成された載置面５４ａに棚部材４４を設置することで、ダクト５０の上板５０ａと棚部材４４との間に所定間隔だけ離間した空間部５８が形成され、該棚部材４４に物品を載置することで、該物品と吸込口５２とが離間するようになっている。【選択図】図３
2005037059.tif 000002
【特許請求の範囲】
【請求項１】
断熱箱体(12)の内部に画成した収納室(18)の下部に、冷却器(34)および送風ファン(36)を有する冷却室(32)が仕切部材(30)を介して画成され、前記冷却室(32)に連通する吸込口(52)を有するダクト(50)が前記仕切部材(30)に配設された貯蔵庫において、
前記ダクト(50)に、該ダクト(50)の上面(50a)から所要高さで立上がる支持部(54,54)を形成し、
前記支持部(54,54)に棚部材(44)を載置することで、該棚部材(44)と前記吸込口(52)との間に所要の空間部(58)が画成されるよう構成した
ことを特徴とする貯蔵庫。
【発明の詳細な説明】
【技術分野】
【０００１】
この発明は、冷蔵庫やショーケース等の貯蔵庫に関し、更に詳細には、食材や飲料品等の物品を収納する収納室内を効率的に冷却し得る貯蔵庫に関するものである。
【背景技術】
【０００２】
食品や飲料品等の物品を冷蔵または冷凍等して保存する貯蔵庫としては、例えばショッピングセンタやコンビニエンスストア等に設置されているショーケースがある。図４に示すように、このショーケース１０は、内箱１３と外箱１４とに画成される空間部分に断熱材１６を発泡充填して本体としての断熱箱体１２が形成され、この断熱箱体１２の内部には、物品を収納するための収納室１８が画成される。また、前記断熱箱体１２には、前記収納室１８に連通して、前方に開放する矩形状の開口部１２ａが開設されている。この開口部１２ａは、その上部および下部に配設されたヒンジ２２,２２で回動自在に支持された扉２０により開閉可能に閉成される。
【０００３】
前記断熱箱体１２の外部下方には、機械室２４が画成され、該機械室２４に圧縮機、凝縮器および凝縮器用ファン等からなる冷却装置２６が配設されている。なお、機械室２４の前面には、冷却装置２６のメンテナンスに供し得る開口部２４ａを開閉自在に閉成するフロントパネル２８が配設されている。また、前記断熱箱体１２の内部には、前記収納室１８の下部に配設された仕切部材３０により上下に仕切られた冷却室３２が画成され、該冷却室３２に冷却器３４および送風ファン３６が収納配置されている。また冷却室３２の前側にダクト４０が配設され、該ダクト４０に開設された吸込口４０ａを介して収納室１８内の空気が冷却室３２に吸込まれるよう構成される。すなわち、前記送風ファン３６を回転することにより、ダクト４０の吸込口４０ａから冷却室３２に吸込んだ収納室１８内の空気を、前記冷却器３４に接触させて冷気とした後、前記仕切部材３０の後部と内箱１３との間に画成された吹出口４２を介して収納室１８に吹出して該収納室１８を冷却するようになっている。
【０００４】
前記仕切部材３０およびダクト４０は、前記物品Ｍの載置部分としても機能しているため、図４に示すように、ダクト４０の吸込口４０ａの全体に亘って物品Ｍを載置した場合、前記吸込口４０ａの大部分が該物品Ｍで塞がれてしまう。すなわち、前記吸込口４０ａから冷却室３２への空気の吸込みが妨げられるので、前記冷却器３４で熱交換された冷気の循環が良好に行なわれず、前記収納室１８の内部温度を設定温度まで冷却するのに時間が掛かると共に、室内全体を均一に冷却し得なくなる不都合を生ずる。そこで、特許文献１に示す貯蔵庫のように、断熱箱体における幅方向の内壁面に夫々近接する部位に、前記収納室１８と冷却室３２とを連通する空気吸込空間をダクトに開設することで対処している。
【特許文献１】特開２００２−１３０９０７号公報
【発明の開示】
【発明が解決しようとする課題】
【０００５】
しかし前記空気吸込空間は、前記ダクト４０と同一面に設けられるので、該空気吸込空間が物品Ｍで塞がれてしまう虞れがあった。
【課題を解決するための手段】
【０００６】
前記課題を克服し、所期の目的を達成するため、本発明に係る貯蔵庫は、
断熱箱体の内部に画成した収納室の下部に、冷却器および送風ファンを有する冷却室が仕切部材を介して画成され、前記冷却室に連通する吸込口を有するダクトが前記仕切部材に配設された貯蔵庫において、
前記ダクトに、該ダクトの上面から所要高さで立上がる支持部を形成し、
前記支持部に棚部材を載置することで、該棚部材と前記吸込口との間に所要の空間部が画成されるよう構成したことを特徴とする。
【発明の効果】
【０００７】
本発明に係る貯蔵庫によれば、ダクトの上面から支持部を立上げ、該支持部に棚部材を載置することで、該棚部材に載置された物品と吸込口とが所定間隔だけ離間するため、物品による吸込口の閉塞を防止し得る。従って、冷却室への吸込口を介しての充分な空気吸込量を確保できると共に、収納室内に冷気を充分に循環させることができ、収納室の全体を効率的かつ均一に冷却することができる。
【発明を実施するための最良の形態】
【０００８】
この発明は、従来の技術に係る貯蔵庫に内在する前記問題に鑑み、これらを好適に解決するべく提案されたものであって、物品による吸込口の閉塞を防止し得る貯蔵庫を提供することを目的とする。本発明では、ダクトの上面から支持部を立上げ、該支持部に棚部材を載置して、該棚部材と吸込口との間に空間部を画成するよう構成した。
【実施例】
【０００９】
次に、本発明に係る貯蔵庫につき、好適な実施例を挙げて、添付図面を参照して以下に説明する。なお、説明の便宜上、図４に示したショーケースの構成要素と同一の要素については、同一の符号を使用して詳細な説明は省略する。また、実施例においては、貯蔵庫としてショーケースを挙げて説明するが、ショーケースに限らず冷蔵庫や冷凍庫等であって、断熱箱体の内部に画成された収納室の下方に仕切部材により冷却室が画成される構成を採用するものであればよい。
【００１０】
図１または図２に示すように、実施例に係る貯蔵庫としてのショーケース１１は、内箱１３と外箱１４の間にウレタン等の断熱材１６を充填してなる本体としての断熱箱体１２の内部に、食品や飲料品等の物品Ｍを収納する収納室１８が画成される。前記断熱箱体１２の前面には開口部１２ａが開設され、更に断熱箱体１２の下部を仕切部材３０で仕切って、該断熱箱体１２の内底面と該仕切部材３０との間に冷却室３２が画成されている。そして、前記断熱箱体１２の開口部１２ａを閉成し得るように、該開口部１２ａの上部と、下部に配設されたヒンジ２２,２２を介して端縁部を保持された扉２０が、該断熱箱体１２に対して回動可能に配設されている。例えばこの扉２０は、前記収納室１８に収納された物品Ｍを外部より透かして見ることができるように、枠材に複層ガラス等が嵌め込まれている。
【００１１】
前記断熱箱体１２の外部下方には、圧縮機や凝縮器および凝縮器用ファン等からなる冷却装置２６が収納される機械室２４がキャビネット２５により画成されている。前記機械室２４の前面には開口部２４ａが開設され、該開口部２４ａは、着脱自在なフロントパネル２８により閉成し得るよう構成され、該機械室２４の内部に配設された冷却装置２６等のメンテナンスを行ない得るようになっている。このフロントパネル２８は一方が開放された箱状に形成され、該フロントパネル２８の前面には、複数の吸気孔２９ａおよび排気孔２９ｂが開設されている(図１参照)。すなわち、前記凝縮器用ファンの回転により外部から各吸気孔２９ａを介して吸引されて前記冷却装置２６と熱交換することで生じた温排気は、前記フロントパネル２８の各排気孔２９ｂを介して外部に排出されるよう構成される。
【００１２】
図２に示すように、前記冷却室３２には、冷却器３４と送風ファン３６とが、この順番で前側から収納配置されている。前記仕切部材３０における冷却室２８の前部(扉２０側)にダクト５０が着脱自在に配設され、該ダクト５０に開設された吸込口５２を介して収納室１８内の空気が冷却室３２に吸込まれるよう構成される。また前記仕切部材３０の後部と内箱１３との間には、吹出口４２が開設されている。そして、前記送風ファン３６を回転することにより、前記吸込口５２から冷却室３２に吸込んだ収納室１８内の空気を、前記冷却器３４に強制的に接触させて冷気とした後、前記吹出口４２を介して収納室１８に吹出すことで、該収納室１８を冷却するように構成される。前記冷却室３２の底部前側には、該冷却器３４から滴下する除霜水等を受容する水受け皿４６が配設されると共に、該水受け皿４６には排水管４７が接続されている。そして、前記ダクト５０を取り外すことで、前記水受け皿４６の清掃が実施される。なお、前記排水管４７は、前記機械室２４の下方に配設されたドレンパン４８に連通しており、前記水受け皿４６に受容された除霜水等は、該排水管４７を介してドレンパン４８に排出されるようになっている。
【００１３】
前記ダクト５０は、前記断熱箱体１２における開口部１２ａの下部を構成する内壁面と仕切部材３０の間に配設され、該仕切部材３０と共に前記冷却室３２を画成する略矩形状の上板５０ａと、該上板５０ａから下方に延出されたフランジ部５０ｂと、前記収納室１８に臨む上板５０ａ(上面)から所要高さで立上がる一対の支持部５４,５４とから基本的に構成されている(図３参照)。また、前記上板５０ａには、前後方向のスリット状に開設されると共に、上下方向に連通して複数の吸込口５２が形成されている。前記支持部５４,５４は、前記上板５０ａにおいて、前記吸込口５２を挟んだ左右方向の側縁部から上方に向けて突設されると共に、その各先端部分は、内方(吸込口５２側)に向けて折曲して上面に載置面５４ａが形成されている。そして、一対の載置面５４ａ,５４ａに、前記物品Ｍが陳列状態で載置される棚部材４４の前部が載置されて、該棚部材４４と前記吸込口５２(上板５０ａ)との間に空気の流通が可能な空間部５８が画成されるようになっている。なお、前記載置面５４ａ,５４ａと前記仕切板３０は、同一面となるように設定されている(図２参照)。
【００１４】
なお、前記ダクト５０の配設位置の前側に臨む前記開口部１２ａの下端面には、立上がり部６０が上方に向けて突設され、該立上がり部６０の高さは前記支持部５４の高さより低くなるよう設定されている。但し、前記立上がり部６０の上面は、前記ダクト５０における上板５０ａの上面よりは高い位置に臨んでいる。
【００１５】
次に、実施例に係る貯蔵庫の作用について説明する。図２に示すように、前記ダクト５０を配設したもとで、矩形状の棚部材４４の前部を、前記支持部５４,５４の載置面５４ａ,５４ａに載置すると共に、該棚部材４４の後部を前記仕切部材３０に載置することで、前記ダクト５０の上板５０ａと棚部材４４との間に所定間隔(支持部５４の高さ分)だけ離間した状態で空間部５８が画成される。そして、前記棚部材４４に物品Ｍを載置することで、該物品Ｍと前記ダクト５０の吸込口５２とが離間するようになっている。すなわち、物品Ｍを棚部材４４に載置しても、該物品Ｍと吸込口５２との間には、前記空間部５８があいているので、該空間部５８を介して収納室１８内の空気が、該吸込口５２に至り、該吸込口５２から前記冷却室３２への空気の吸込みを妨げることがない。なお、前記棚部材４４は、例えば矩形状に形成した枠材に格子状に線材を組合わせて形成されるが、載置した物品Ｍの重量を保持できる適切な強度や該物品Ｍの大きさ等の関係で多種のものが採用される。
【００１６】
また、物品Ｍにより吸込口５２が塞がれないので、前記ダクト５０の上部を、前記棚部材４４を介して物品Ｍの載置スペースとして有効に利用することができる。前記物品Ｍの収納に際しても、配置位置等にこだわる必要がなく、出し入れを容易に行なうことができる。
【００１７】
前記ダクト５０における上板５０ａから突出して支持部５４,５４が設けられているので、該ダクト５０の取り外しの際に、該支持部５４,５４を持ち手として利用することで、容易に取り外し作業を行ない得る。すなわち、前記水受け皿４６等の清掃作業や、その他の冷却室３２内における作業について、作業性を向上させることができる。
【００１８】
前記吸込口５２の開設面が、前記ダクト５０の前側に突設された立上がり部６０より低く設定されているので、前記仕切部材３０およびダクト５０の上板５０ａ上に滴下した水等は、該吸込口５２から冷却室３２に至る。そして、最終的に前記水受け皿４６を介してドレンパン４８に排出されるため、収納室１８から庫外に溢れることはない。
【図面の簡単な説明】
【００１９】
【図１】本発明の好適な実施例に係る貯蔵庫を一部切り欠いて示す正面図である。
【図２】実施例に係る貯蔵庫の要部を拡大して示す側断面図である。
【図３】実施例に係る貯蔵庫に備えたダクトを示す概略斜視図である。
【図４】従来の貯蔵庫を示す側断面図である。
【符号の説明】
【００２０】
１２ 断熱箱体，１８ 収納室，３０ 仕切部材，３２ 冷却室，３４ 冷却器
３６ 送風ファン，４４ 棚部材，５０ ダクト，５０ａ 上板(上面)
５２ 吸込口，５４ 支持部，Ｍ 物品
【図１】
2005037059.tif 000003
【図２】
2005037059.tif 000004
【図３】
2005037059.tif 000005
【図４】
2005037059.tif 000006